【手続補正書】
【提出日】平成26年11月20日(2014.11.20)
【手続補正１】
【補正対象書類名】特許請求の範囲
【補正対象項目名】全文
【補正方法】変更
【補正の内容】
【特許請求の範囲】
【請求項１】
顧客宅内機器においてシステムメンテナンスをスケジューリングする方法であって、該方法は、
前記顧客宅内機器内の顧客嗜好モジュールからコンテンツに対する顧客の嗜好相関およびメンテナンス情報を受け入れるステップと、
現在の時刻を決定するステップと、
前記システムメンテナンスの期間を決定するステップと、
前記システムメンテナンスの終了時刻を計算するステップと、
前記システムメンテナンスの前記終了時刻が前記顧客の嗜好相関に干渉するかどうかを決定するステップと、
前記システムメンテナンスの前記終了時刻が前記顧客の嗜好相関に干渉しない場合に、顧客が好みのコンテンツを現在アクセスしているか、または現在のコンテンツが顧客の好みに強く相関しているかどうか、または好みのコンテンツに対するアクセスが前記システムメンテナンスの前記終了時刻の前に予期されるかどうかを決定するステップと、
第３および第４の決定ステップに応答して前記システムメンテナンスをスケジューリングするステップと、
を含む、前記方法。
【請求項２】
前記第３および第４の決定ステップに応答して前記スケジューリングするステップを延期することを含む、請求項１に記載の方法。
【請求項３】
延期方法を決定することをさらに含む、請求項２に記載の方法。
【請求項４】
前記延期方法は時刻に基づいている、請求項３に記載の方法。
【請求項５】
前記延期方法は前記顧客の嗜好相関の関数である、請求項３に記載の方法。
【請求項６】
前記顧客宅内機器はコンテンツをレンダリングする装置を有する、請求項１に記載の方法。
【請求項７】
顧客の嗜好およびコンテンツ情報を受け入れ、前記コンテンツ情報及び前記顧客の嗜好を相関させ、メンテナンススケジューリングモジュールに前記相関の操作の結果を通信する、能力がある、顧客嗜好モジュールと、
前記顧客嗜好モジュールと通信する、前記メンテナンススケジューリングモジュールと、
時計であって、前記時計は前記メンテナンススケジューリングモジュールと通信する、前記時計と、
を備えた、顧客エンドデバイス。
【請求項８】
前記顧客嗜好モジュールから前記相関操作の結果を受け入れ、前記時計にアクセスし、前記相関操作の前記結果および前記時計に応答してメンテナンススケジュールを決定する、請求項７に記載の顧客エンドデバイスのメンテナンススケジューリングモジュール。
【請求項９】
前記システムメンテナンスの前記終了時刻が前記顧客の嗜好相関に干渉する場合、または顧客が好ましいコンテンツに現在アクセスしているかまたは現在のコンテンツが前記顧客の好みに強く相関している場合、または好ましいコンテンツへのアクセスが、前記システムメンテナンスの前記終了時刻より前に予定される場合、前記スケジューリングは、延期される、請求項８に記載の前記メンテナンススケジューリングモジュール。
【請求項１０】
システムメンテナンススケジューリングが延期される場合、延期方法を決定することを含む、請求項９記載のメンテナンススケジューリングモジュール。
【請求項１１】
前記延期方法は時刻に基づいている、請求項１０に記載のメンテナンススケジューリングモジュール。
【請求項１２】
前記延期方法は前記顧客の嗜好相関の関数である、請求項１１に記載のメンテナンススケジューリングモジュール。
【請求項１３】
前記顧客宅内機器はコンテンツをレンダリングするための装置を含む、請求項７に記載の顧客エンドデバイス。
【手続補正２】
【補正対象書類名】明細書
【補正対象項目名】００１６
【補正方法】変更
【補正の内容】
【００１６】
さらに、添付の図面によって示される構成システムコンポーネントおよび方法ステップのいくつかは、好ましくはソフトウェアで実現されるので、システムコンポーネント（又はプロセスステップ）間の実際の接続は本発明がプログラムされる方法によって異なることがさらに理解されるべきである。本明細書の教示が与えられると、関連技術の当業者は、これらおよび同様の実装または本発明の構成を考えることができるであろう。
（付記１）
消費者宅内機器においてシステムメンテナンスをスケジューリングする方法であって、該方法は、
コンテンツに対する顧客の嗜好相関およびメンテナンス情報を受け入れるステップと、
現在の時刻を決定するステップと、
前記システムメンテナンスの期間を決定するステップと、
前記システムメンテナンスの終了時刻を計算するステップと、
前記システムメンテナンスの前記終了時刻が前記顧客の嗜好相関に干渉するかどうかを決定するステップと、
前記システムメンテナンスの前記終了時刻が前記顧客の嗜好相関に干渉しない場合に、顧客が好みのコンテンツを現在アクセスしているか、または現在のコンテンツが顧客の好みに強く相関しているかどうか、または好みのコンテンツに対するアクセスが前記システムメンテナンスの前記終了時刻の前に予期されるかどうかを決定するステップと、
第３および第４の決定ステップに応答して前記システムメンテナンスをスケジューリングするステップと、
を含む、前記方法。
（付記２）
前記第３および第４の決定ステップに応答して前記スケジューリングするステップを延期することを含む、付記１に記載の方法。
（付記３）
延期方法を決定することをさらに含む、付記２に記載の方法。
（付記４）
前記延期方法は時刻に基づいている、付記３に記載の方法。
（付記５）
前記延期方法は前記顧客の嗜好相関の関数である、付記３に記載の方法。
（付記６）
顧客構内装置はコンテンツをレンダリングする装置を有する、付記１に記載の方法。
（付記７）
顧客嗜好モジュールと、
メンテナンススケジューリングモジュールであって、前記顧客嗜好モジュールが前記メンテナンススケジューリングモジュールと通信する、前記メンテナンススケジューリングモジュールと、
時計であって、前記時計は前記メンテナンススケジューリングモジュールと通信する、前記時計と、
を備えた、顧客エンドデバイス。
（付記８）
顧客の好みおよびコンテンツ情報を受け入れ、前記コンテンツ情報及び前記顧客の好みを相関させ、前記メンテナンススケジューリングモジュールに前記相関操作の前記結果を伝える、能力がある、付記７に記載の顧客エンドデバイスの顧客嗜好モジュール。
（付記９）
前記顧客嗜好モジュールから前記相関操作の結果を受け入れ、前記時計にアクセスし、前記相関操作の前記結果および前記時計に応答してメンテナンススケジュールを決定する、付記８に記載の顧客エンドデバイスのメンテナンススケジューリングモジュール。
（付記１０）
前記システムメンテナンスの前記終了時刻が前記顧客の嗜好相関に干渉する場合、または顧客が好ましいコンテンツに現在アクセスしているかまたは現在のコンテンツが前記顧客の好みに強く相関している場合、または好ましいコンテンツへのアクセスが、前記システムメンテナンスの前記終了時刻より前に予定される場合、前記スケジューリングは、延期される、付記９に記載の前記メンテナンススケジューリングモジュール。
（付記１１）
システムメンテナンススケジューリングが延期される場合、延期された方法を決定することを含む、付記１０記載のメンテナンススケジューリングモジュール。
（付記１２）
前記延期方法は時刻に基づいている、付記１に記載のメンテナンススケジューリングモジュール。
（付記１３）
前記延期方法は前記顧客の嗜好相関の関数である、付記１２に記載のメンテナンススケジューリングモジュール。
（付記１４）
顧客構内装置はコンテンツをレンダリングするための装置を含む、付記７に記載の顧客エンドデバイス。